(57)【要約】【課題】電気ストーブの暖房範囲を局所から広範囲まで切り替えられるようにして使い勝手を向上させるとともに快適性の高い暖房装置の実現を目的としたものである。【解決手段】発熱部１５は、ハロゲンヒータ１６、及び、このハロゲンヒータ１６により発生される熱を前方に向けて反射するように曲面状の反射板１８を配設するとともに、ハロゲンヒータ１６と反射板１８の位置関係を変化させる移動手段２０を備えているので、ハロゲンヒータ１６から放射された熱が曲面状の反射板１８で反射される方向を変えることができるようになり、電気ストーブの暖房範囲を局所から広範囲まで切り替えられることができ、使用者に応じた暖房ができるようになり、使い勝手を向上させるとともに快適性の高い暖房装置の実現できるようになる。【選択図】図４
2005155926.tif 000002
【特許請求の範囲】
【請求項１】
ベース部と、このベース部の上部に設けられる胴体部と、この胴体部の上方に位置するヘッド部と、このヘッド部の前方に配置され、このヘッド部により支持される発熱部とを備え、前記発熱部は、ハロゲンヒータと、このハロゲンヒータにより発生される熱を前方に向けて反射するように曲面状の反射板からなり、この前記反射板は反射条件を変化できるように構成した電気ストーブ。
【請求項２】
ハロゲンヒータと反射板との位置関係を変化させるようにした請求項１記載の電気ストーブ。
【請求項３】
ハロゲンヒータと反射板の位置関係を前後方向に変化させるようにした請求項２記載の電気ストーブ。
【請求項４】
ハロゲンヒータからの熱の反射角度を変化させるように、反射板は複数の曲率を有する構成とした請求項１記載の電気ストーブ。
【請求項５】
反射板は、反射したハロゲンヒータの熱を機器の前方に集中させる第１の曲率部と、ハロゲンヒータとの位置関係を遠ざけたときにその熱を広げる第２の曲率部とを有する請求項１記載の電気ストーブ。
【請求項６】
ハロゲンヒータの前方に遮光板を配設するとともに、この遮光板はハロゲンヒータの光が側面側に漏れないようにこのハロゲンヒータの側面部を覆うように構成した請求項５記載の電気ストーブ。
【発明の詳細な説明】
【技術分野】
【０００１】
本発明は、主に暖房用に利用される電気ストーブに関するものである。
【背景技術】
【０００２】
従来、電気ストーブは種々の構成があり、近年、その中でハロゲンヒータを用いた扇風機形ストーブが用いられるようになりつつあり、この電気ストーブは外観を扇風機に似せてあり、持ち運びが容易で扱いやすいという利点がある。
【０００３】
上記電気ストーブの具体構成は、図６，図７に示すように、扇風機と同様に、ベース部１と、このベース部１の上部に設けられる胴体部２と、この胴体部２の上方に位置するヘッド部３とを備えている。
【０００４】
このヘッド部３に配置された発熱部は、ハロゲンヒータ４と、このハロゲンヒータ４により発生される熱を前方に向けて反射する反射板５と、これらハロゲンヒータ４と反射板５を保護する安全網の機能を有する保護カバー６とからなる。
【０００５】
保護カバー６は、ハロゲンヒータ４や反射板５に使用者が触らないようにするため設けられる（特許文献１参照）。
【特許文献１】特開２００３−１６１４４８号公報（第４頁、第１図、第５図）
【発明の開示】
【発明が解決しようとする課題】
【０００６】
しかしながらこのような構成の電気ストーブは、暖房条件が一定であるため、使用条件に応じた暖房感を得るためには使用者と電気ストーブの位置を変化させる必要があり、例えば使用者が複数いて広範囲に暖房したい場合は、使用者と電気ストーブの位置関係を離し、また、使用者が一人で局部的に暖房したいときは使用者と電気ストーブの位置関係を近づける必要があり、電気ストーブの置く場所などが規制され使い勝手の悪いものであった。
【０００７】
そこで本発明は電気ストーブの暖房範囲を局所から広範囲まで切り替えられるようにして使い勝手を向上させるとともに快適性の高い暖房装置の実現を目的としたものである。
【課題を解決するための手段】
【０００８】
前記従来の課題を解決するために、本発明の電気ストーブは、ベース部と、このベース部の上部に設けられる胴体部と、この胴体部の上方に位置するヘッド部と、このヘッド部の前方に配置され、このヘッド部により支持される発熱部とを備え、前記発熱部は、ハロゲンヒータ、このハロゲンヒータにより発生される熱を前方に向けて反射するように曲面状の反射板からなり、この前記反射板は反射条件を変化できるように構成した。
【０００９】
上記発明によれば、反射板によるハロゲンヒータの熱の反射条件を変化することで使用者の暖房感を変化させることができる。
【発明の効果】
【００１０】
本発明の電気ストーブによれば、反射板によるハロゲンヒータの熱の反射条件を変化することで、使用者に応じた暖房ができ、使い勝手を向上させるとともに快適性暖房を実現できるものである。
【発明を実施するための最良の形態】
【００１１】
本発明の実施の形態は、ベース部と、このベース部の上部に設けられる胴体部と、この胴体部の上方に位置するヘッド部と、このヘッド部の前方に配置され、このヘッド部により支持される発熱部とを備え、前記発熱部は、ハロゲンヒータ、このハロゲンヒータにより発生される熱を前方に向けて反射するように曲面状の反射板からなり、この前記反射板は反射条件を変化できるように構成した。
【００１２】
反射条件を変化させるものとしては、ハロゲンヒータと反射板との位置関係を、例えば前後方向に変化させるもの、反射板に複数の曲率部を形成しておくものなどが考えられよう。
【００１３】
そして、反射板に複数の曲率部を形成したものにあって、反射したハロゲンヒータの熱を機器の前方に集中させる第１の曲率部と、ハロゲンヒータとの位置関係を遠ざけたときにその熱を広げる第２の曲率部とを設けておく。
【００１４】
ハロゲンヒータの前方には遮光板を配設し、加えてこの遮光板はハロゲンヒータの光が側面側に漏れないようにこのハロゲンヒータの側面部を覆うように構成しておく。
【実施例】
【００１５】
以下本発明の実施例について、図面を参照しながら説明する。
【００１６】
（実施例１）
図１〜図４において、１１は、室内の床面上に設置される広い平面部を有するベース部で、このベース部１１の上部に上下方向に伸びる細長形状を胴体部１２が配設してあり、さらにこの胴体部１２の上部にネック部１３と、このネック部１３の上部にヘッド部１４が配設してあり、またヘッド部１４の前方には発熱部１５を備えている。
【００１７】
発熱部１５は、その中央部に熱源となるハロゲンヒータ１６と、このハロゲンヒータ１５の前方に使用者がハロゲンヒータ１６の光を直接見えないようにハロゲンヒータ１６ー部の前面部と側面側を覆うように構成した遮光板１７と、ハロゲンヒータ１６の後方にハロゲンヒータ１６の熱源を効果的に反射させる反射板１８と、ハロゲンヒータ１６を固定する支持部１９と、反射板１８を前後方向に移動させる移動手段２０と、安全性等の理由よりハロゲンヒータ１６や反射板１８を使用者が直接触れることのないように発熱部の前面に配設されたガード部２１から形成されている。
【００１８】
そして、反射板１８の前後方向の位置で、ハロゲンヒータ１６からの熱の反射角度を大幅に変化させるように、反射板１８は２段階の曲率で変化させてあり、移動手段でハロゲンヒータ１６と反射板１８の位置関係を近づけたときにハロゲンヒータ１６の熱が前方に集中するような曲率とし、移動手段１９でハロゲンヒータ１６と反射板１８の位置関係を遠ざけたときにハロゲンヒータ１６の熱が広がるような曲率とした所定の２段階の凹面に形成されている。
【００１９】
また、図５の制御ブロック図に示すように、使用者は、操作部２２を操作することで、この電気ストーブの暖房を用いるようになり、例えば、操作部２２の暖房入り・切りＳＷ２２ａをＯＮ／ＯＦＦさせることで、制御部２３のヒータ制御部２３ａがハロゲンヒータ１６の通電をＯＮ／ＯＦＦし、暖房の入り・切りを行うようになり、また、首振り入り・切りＳＷ２２ｂをＯＮ／ＯＦＦさせることで、首振り手段制御部２３ｂが首振り手段２４の入り・切りを行うようになり、そして、暖房切換、広・狭ＳＷ２２ｃをＯＮ／ＯＦＦさせることで、移動手段制御部２３ｃが移動手段２０をコントロールし、ハロゲンヒータ１６を前後に移動させるようになっている。
【００２０】
尚、移動手段２０は、ハロゲンヒータ１６を固定する支持部１９にモータ等を用いたピニオンとラック機構やリンク機構など、略直線運動を行う機構を用いたものでよく、ハロゲンヒータ１６と反射板１８の位置関係を前後方向に近づけたり遠ざけたりするものであれば、どのような構成でも良い。
【００２１】
ここで、移動手段２０で反射板１８を移動させ、反射板１８の位置関係を前後方向に移動させるように構成してあるので、ハロゲンヒータ１６と反射板１８の位置関係を前後方向に移動させることで、ハロゲンヒータ１６から放射された熱が曲面状の反射板１８で反射される方向を変えられ、電気ストーブの暖房範囲を局所から広範囲まで切り替えられるように使用者に応じた暖房ができるようになり、使用者に応じた暖房ができるようになり、使い勝手を向上させるとともに快適性の高い暖房装置の実現できるようになる。
【００２２】
また、反射板１８は移動手段２０でハロゲンヒータ１６と反射板１８の位置関係を近づけたときにハロゲンヒータ１６の熱が前方に集中するような曲率としてあるので、ハロゲンヒータ１６の熱が反射板１８の中央部に集中してから前方に放射されるようになり、ハロゲンヒータ１６の熱が効果的に前方に局所的に放射できるようになる。
【００２３】
また、移動手段２０でハロゲンヒータ１６と反射板１８の位置関係を遠ざけたときにハロゲンヒータ１６の熱が広がるような曲率とした構成としてあるので、ハロゲンヒータ１６と反射板１８が遠くなった状態でハロゲンヒータ１６の熱が効果的に広がる放射できるようになる。
【００２４】
つまり、効果的に電気ストーブの暖房範囲を局所から広範囲まで切り替えられるようになる。
【００２５】
そして、遮光板１７はハロゲンヒータ１６の光が側面側に漏れないようにハロゲンヒータ１６の側面部と前面部を覆うように構成してあるので、使用者がどこの位置にいてもハロゲンヒータ１６の光を直接見えないようにできるとともに、移動手段２０でハロゲンヒータ１６と反射板１８の位置関係を近づけたときに、ハロゲンヒータ１６の光が反射板１８側のみに放射され、より効果的に、ハロゲンヒータ１６の熱が反射板１８の中央部に集中してから前方に放射できるようになる。
【００２６】
なお、上記実施例では、ハロゲンヒータ１６と反射板１８の位置関係を移動手段２０で反射板１８を移動させ前後方向に移動させるようにしたが、これはハロゲンヒータ１６を上下、左右および前後の移動できるように組み合わせてもよく、また、反射板１８を所定の２段階の凹面としたが、これは、同一曲率としてもよくまたさらに複数段階の曲率にしてもよく、その他各部の構成も本発明の目的を達成する範囲であればその構成はどのようなものであってもよい。
【産業上の利用可能性】
【００２７】
以上のように本発明かかる電気ストーブによれば、使用者に応じた使い勝手のよい暖房ができもので、一般家庭での暖房に大いに適応したものとなる。
【図面の簡単な説明】
【００２８】
【図１】本発明の実施例１における電気ストーブの概略縦断面図
【図２】同実施例１における電気ストーブの正面図
【図３】同実施例１における電気ストーブの広角暖房時の状態を示す発熱部の要部上断面図
【図４】同実施例１における電気ストーブの狭角暖房時の状態を示す発熱部の要部上断面図
【図５】同実施例１における電気ストーブの制御ブロック図
【図６】従来の電気ストーブの斜視図
【図７】同従来の電気ストーブの発熱部の詳細図
【符号の説明】
【００２９】
１１  ベース部
１２  胴体部
１４  ヘッド部
１５  発熱部
１６  ハロゲンヒータ
１７  遮光板
１８  反射板
２０  移動手段
【図１】
2005155926.tif 000003
【図２】
2005155926.tif 000004
【図３】
2005155926.tif 000005
【図４】
2005155926.tif 000006
【図５】
2005155926.tif 000007
【図６】
2005155926.tif 000008
【図７】
2005155926.tif 000009